(57)【要約】      （修正有）【課題】段差のないバリアフリーと、設置面の状態に合わせた底面の密着性と、設置者が希望する形や大きさと、楽な引き剥がしと、コストダウンを実現する。【解決手段】柔軟性を有するシート状の敷部材１と、該敷部材１表面の少なくとも周縁部の少し内側部分に設けられた面ファスナー雄部材２と、マット本体の横ずれを防止するために面ファスナー雄部材２が固定されていない敷部材１表面に設けられた滑り止め４と、柔軟性と弾力性を有し前記面ファスナー雄部材２により底面を係止自在に固定可能であるマット本体とから構成され、マット本体が敷部材１よりやや小さく形成され、面ファスナー雄部材２と滑り止め４の両方が互いに間隔をあけて配置された複数の小片から成る。面ファスナー雄部材２と滑り止め４のどちらか一方を互いに間隔をあけて配置された複数の小片としてもよい。設置場所に合わせて敷部材１とマット本体をカッティングしてもよい。【選択図】図３
0003137437.tif 000002
【実用新案登録請求の範囲】
【請求項１】
柔軟性を有するシート状の敷部材（１）と、該敷部材（１）表面の少なくとも周縁部の少し内側部分に設けられた面ファスナー雄部材（２）と、マット本体（３）の横ずれを防止するために面ファスナー雄部材（２）が固定されていない敷部材（１）表面に設けられた滑り止め（４）と、柔軟性と弾力性を有し前記面ファスナー雄部材（２）により底面を係止自在に固定可能であるマット本体（３）とから構成され、マット本体（３）が敷部材（１）よりやや小さく形成され、面ファスナー雄部材（２）と滑り止め（４）の両方が互いに間隔をあけて配置された複数の小片から成ることを特徴とする敷きマット。
【請求項２】
柔軟性を有するシート状の敷部材（１）と、該敷部材（１）表面の少なくとも周縁部の少し内側部分に設けられた面ファスナー雄部材（２）と、マット本体（３）の横ずれを防止するために面ファスナー雄部材（２）が固定されていない敷部材（１）表面に設けられた滑り止め（４）と、柔軟性と弾力性を有し前記面ファスナー雄部材（２）により底面を係止自在に固定可能であるマット本体（３）とから構成され、マット本体（３）が敷部材（１）よりやや小さく形成され、面ファスナー雄部材（２）と滑り止め（４）のどちらか一方が互いに間隔をあけて配置された複数の小片から成ることを特徴とする敷きマット。
【請求項３】
敷部材（１）とマット本体（３）が設置場所に合わせてカッティング可能であることを特徴とする請求項１又は２記載の敷きマット。
【考案の詳細な説明】
【技術分野】
【０００１】
本考案は、玄関や部屋等の出入り口、試着室の床、その他の場所に置いて使用するものであり、非常に薄くすることができ、汚れた場合はマット本体を新しいものと交換可能な敷マットに関するものである。
【背景技術】
【０００２】
従来の敷マットは、たとえば特開平０７−０８８０７５号公報「玄関マット」のように、厚みのある枠縁を有する四角いマット受け皿１２の皿の内側にマット本体１４を入れた構造である。マット受け皿は型を用いてゴムを成型加工したものである。マット本体はマット受け皿の皿の内側に装着して使用する。枠縁の内側には高い壁が形成される。また、従来の敷マットには、マット本体を係止するために、帯状の面ファスナーをマット受け皿の内部周縁全周に取り付けたものが看られる。また、マット本体の横ずれを防止するために、やすり等のシート状の滑り止めをマット受け皿の内部の表面全体に取り付けたものが看られる。
【特許文献１】特開平０７−０８８０７５号公報
【考案の開示】
【考案が解決しようとする課題】
【０００３】
上記したマット受け皿とマット本体から成る従来のマットは、マット受け皿の枠縁の部分に厚みがあるため、設置面から枠縁のトップの高さまでの段差がある。枠縁を踏むと足裏に違和感を生じ、足は設置面側に傾き、体が不安定となり、転倒する危険性がある。マット受け皿の枠縁の段差があることにより、足や杖が引掛かり転倒する危険がある。マット受け皿の段差に足を引掛けたり車輪が衝突したときの衝撃はかなり大きい。走って敷マットに足を引っ掛けて怪我をする危険もある。救急で搬送されてきたベッドが従来の敷マットに衝突すれば患者に大きな衝撃を与えて危険である。衝突の衝撃でマット全体がずれて移動することがある。車付き点滴台がマットの縁にぶつかれば、点滴台が転倒する危険があり、患者も一緒に転倒することも考えられる。車椅子やベッドの車輪がマットの縁にぶつかれば衝撃とともに停止してしまい、前進できなくなる恐れがある。体力的に弱い人は、車を押してマット受け皿の段差を乗り越えることができない。枠部分に傾斜を設けても段差がなくなるわけではないので、問題の解決にはならない。車輪が枠縁を越えることができても、車がマット本体に沈んで枠縁の垂直の段差に阻まれるため、枠縁の中から車輪を外に出しにくい。
【０００４】
マット受け皿に枠縁が形成されているので曲げに対する強度が高く変形しにくい。巻き取ることも曲げることも困難である。設置面がドア等の段差部分であったりアーチ等の曲面であったりした場合、その設置面の状態に合わせて変形しにくいので、マット受け皿の底面が設置面に密着せずに浮いてしまいやすい。マット受け皿が設置面から浮いた状態は機能的にも安全面でも問題である。設置面から浮いている部分の敷マットはマットとして十分機能できない。設置面の段差の形が敷マットに隠されてしまうため非常に危険である。敷マットが設置面に密着せずぼこっと浮き上がって見えるのは、非常に美観を損ねる。また、帯状の面ファスナーがマット受け皿の内部の周縁全周に取り付けられている場合、マット本体の底面の周縁全周が隙間無く係止されているので、マット本体を引き剥がすのに強い力を必要としていた。
【０００５】
マット受け皿の内部の周縁全周に取り付けられる帯状の面ファスナーも、マット受け皿の内部の表面全体に取り付けられるシート状の紙やすり等の滑り止めも、前記したマット本体の曲げに対する強度を高めて、マット本体を変形しにくくする働きがある。
【０００６】
マット受け皿の形と大きさはメーカー側で決定し、形は四角形がほとんどである。設置者は設置場所に合う敷マットを探して選ぶ。しかし、メーカーが作った敷マットに設置者が希望する形と大きさのものがない場合もある。従来の敷マットはゴムを型で成型してマット受け皿を製造しているので、個々の設置者が希望する形と大きさの敷マットを提供することができなかった。また、設置者自身が敷マットを希望する形や大きさに変えることはできなかった。
【０００７】
本考案は、上記の問題点を解決した敷マットを提供することを目的とする。
【課題を解決するための手段】
【０００８】
請求項１記載の本考案は、柔軟性を有するシート状の敷部材と、該敷部材表面の少なくとも周縁部の少し内側部分に設けられた面ファスナー雄部材と、マット本体の横ずれを防止するために面ファスナー雄部材が固定されていない敷部材表面に設けられた滑り止めと、柔軟性と弾力性を有し前記面ファスナー雄部材により底面を係止自在に固定可能であるマット本体とから構成され、マット本体が敷部材よりやや小さく形成され、面ファスナー雄部材と滑り止めの両方が互いに間隔をあけて配置された複数の小片から成ることを特徴とする。
【０００９】
請求項２記載の本考案は、柔軟性を有するシート状の敷部材と、該敷部材表面の少なくとも周縁部の少し内側部分に設けられた面ファスナー雄部材と、マット本体の横ずれを防止するために面ファスナー雄部材が固定されていない敷部材表面に設けられた滑り止めと、柔軟性と弾力性を有し前記面ファスナー雄部材により底面を係止自在に固定可能であるマット本体とから構成され、マット本体が敷部材よりやや小さく形成され、面ファスナー雄部材と滑り止めのどちらか一方が互いに間隔をあけて配置された複数の小片から成ることを特徴とする。
【００１０】
請求項３記載の本考案は、前記請求項１又は２記載の敷マットにおいて、敷部材とマット本体が設置場所に合わせてカッティング可能であることを特徴とする。
【考案の効果】
【００１１】
上記した本考案の敷マットによれば、従来あった枠縁の段差がなくなるため、非常に薄くなり、設置面とほとんど同じになってしまう。足やタイヤで踏まれるとマット本体は柔軟性と弾力性があるため圧縮されて敷部材程度の厚みになる。マット本体の側面から足先やタイヤが当たっても、マット本体に柔軟性と弾力性があるため、衝撃も引っ掛かりも起きない。マット本体の厚みはバリアフリーの障害にはならない。マット本体が敷部材よりやや小さく形成されているため、マット本体の縁を敷部材の縁より内側に固定でき、それによりマット本体の側部を十分に保護することができる。敷部材の縁を踏んでも足裏に違和感がなく、足が傾くことも体が不安定になることもなく、きわめて安全性が高い。車椅子やベッドや家具等の車輪は、枠縁の障害がないので敷マットの敷部材の縁をスムーズに通過し、マット本体を極薄状態に圧縮しつつ進行し、やはり枠縁の障害がないので反対側の敷部材の縁からスムーズに出ることができる。
【００１２】
敷部材は柔軟性があって枠縁がないため、設置面がドア等の段差部分であったりアーチ等の曲面であっても、その設置面の状態に合わせて変形しやすく、敷部材の底面を設置面に密着させることができる。設置面の段差やアーチが敷マットの上からもわかるため安全性が高い。敷マットが設置面に密着するので、美観を損ねることがない。
【００１３】
面ファスナー雄部材や滑り止めが間隔をあけて配置された複数の小片であるため、敷部材の曲げに対する強度を高める働きが消えて柔軟性を損うことがない。敷部材の変形を阻害することもない。また、互いに間隔をあけて配置されるため、間隔があいた分だけ面ファスナー雄部材や滑り止めを節約することができ、その分の製造コストを下げることができる。面ファスナー雄部材と滑り止めの両方を小片とすれば上記した効果が高く得られるし、どちらか一方を小片とした場合も同様の効果を得ることができる。敷部材表面周縁部の少し内側部分の周縁に間隔をあけて配置された複数の小片から成る面ファスナーにマット本体の底面の周縁が間隔をあけて係止されているので、強い力を必要とせず容易にマット本体を引き剥がすことができる。
【００１４】
敷部材は、材料である柔軟性を有したシートをカッティングすることで、希望する形と大きさのものを簡単に得ることができる。型による成型は不要である。設置場所に合う形と大きさにカッティングするだけで敷部材を得ることができる。この敷部材に合わせてカッティングしてマット本体とする。これによって、設置者の希望する形と大きさの敷マットを容易に提供することができる。また、設置者自身が敷部材とマット本体をカッティングして希望する形や大きさにすることも可能である。敷部材に枠縁がないためカッティングが容易である。面ファスナー雄部材や滑り止めが互いに間隔をあけて配された小片であるため、カッティングの障害になる面ファスナー雄部材や滑り止めを避けたカッティングが可能となる。
【考案を実施するための最良の形態】
【００１５】
以下、本考案の実施の形態を図面に基づいて説明するが、本考案がこれにのみ限定されるべきでないことはいうまでもない。
【００１６】
図中１は、柔軟性を有するシート状の敷部材である。敷部材１としてゴムシートを用いることができる。図中２は、敷部材１表面の少なくとも周縁部に設けられた面ファスナー雄部材２である。図中３は、柔軟性と弾力性を有し前記面ファスナー雄部材２により底面を係止自在に固定可能であるマット本体である。マット本体３は、汚れを付着させて落とすことが主な目的であるが、例えば抗菌・除菌や吸油等の設置目的に応じたものを用いることができる。マット本体３は敷部材１よりやや小さく形成され、マット本体３の縁が敷部材１の縁より内側になるよう固定する。図中４はマット本体３の横ずれを防止するための滑り止めである。滑り止め４には、サンドペーパー、カーボン砂、鉄砂、摩擦係数の高いゴムやウレタンやスポンジ、その他様々なものを使用可能であるが、本実施形態ではサンドペーパーを用いている。
【００１７】
本考案の敷マットには、滑り止め４は面状で、面ファスナー雄部材２は敷部材１の周縁部に互いに間隔をあけて配置された複数の小片であるタイプと（図１参照。）、面ファスナー雄部材２は帯状で、滑り止め４は敷部材１の表面に互いに間隔をあけて配置された複数の小片であるタイプと（図２参照。）、面ファスナー雄部材２は敷部材１の周縁部に互いに間隔をあけて配置された複数の小片で、滑り止め４も敷部材１の表面に互いに間隔をあけて配置された複数の小片であるタイプ（図３参照。）がある。複数の小片から成る面ファスナー雄部材２は、短い面ファスナー雄部材２を互いに間隔をあけて敷部材１の周縁に配置する。複数の小片から成る滑り止め２は、小さな滑り止め２を互いに間隔をあけて敷部材１の表面に配置する。
【００１８】
図６の敷マットは図５の敷マットをカッティングしたものである。図６では敷部材１のニ箇所の角をカッティングしたが、これは設置場所の形に応じて行なう。マット本体３も敷部材１と同じ部分をカッティングして敷部材１に固定する（図６参照。）。図示しないが、図１、図２、図３のどの敷部材１でもカッティングすることができる。面ファスナー雄部材２や滑り止め２等の、小片の間をカッティングすることで、支障なく美しい仕上がりとなる。
【００１９】
マット本体３が汚れたら場合は面ファスナー雄部材２から外して新しいマット本体３と交換する。汚れたマット本体３は焼却処分が基本であるが、クリーニングをして再使用が可能な場合もある。
【図面の簡単な説明】
【００２０】
【図１】面状の滑り止めと複数の小片からなる面ファスナー雄部材を有する敷部材をあらわす平面図。
【００２１】
【図２】帯状の面ファスナー雄部材と複数の小片からなる滑り止めを有する敷部材をあらわす平面図。
【００２２】
【図３】複数の小片からなる滑り止めと複数の小片からなる面ファスナー雄部材を有する敷部材をあらわす平面図。
【００２３】
【図４】敷マットの一例をあらわす側面図。
【００２４】
【図５】敷マットの一例をあらわす平面図。
【００２５】
【図６】二箇所の角をカッティングした敷マットの一例をあらわす平面図。
【符号の説明】
【００２６】
１    敷部材
２    面ファスナー雄部材
３    マット本体
４    滑り止め
【図１】
0003137437.tif 000003
【図２】
0003137437.tif 000004
【図３】
0003137437.tif 000005
【図４】
0003137437.tif 000006
【図５】
0003137437.tif 000007
【図６】
0003137437.tif 000008